(57)【要約】【課題】風等による僅かな温度変化や、人の動きによる影響を受けることなく、より正確に人の動きに応じた自動運転及び異常検出が可能な換気装置を提供することを目的とする。【解決手段】トイレ１等の居室空間に設置され、室内の空気を室外に排気するファン３と、室内の温度を検出する温度検出手段５、ファン２を運転又は停止する駆動手段１０、温度を記憶する記憶手段７、室内の異常を検出する異常判定手段８、室内の異常を周囲に報知する報知手段１１とを備え、温度検出手段５により検出された絶対温度から人の入退室、室内が異常状態かどうかを判断し、それに応じてファン２の運転又は、異常報知をする換気装置。【選択図】図３
2010091166.tif 000002
【特許請求の範囲】
【請求項１】
トイレ等の局所空間に設置され、室内の空気を排気するファンと、前記局所空間に入室した人の絶対温度を検出する温度検出手段と、前記温度検出手段により検出された温度の値を記憶する記憶手段と前記ファンを運転又は停止する駆動手段と温度又は時間のいずれかから異常状態と判断する異常判定手段と居室空間内の異常を検出した場合に周囲に報知する報知手段を有する制御手段とを備え、前記温度検出手段が人の絶対温度を検出すると、前記記憶手段によって絶対温度を記憶し、記憶された絶対温度から人の入退室を判定し、それに応じて前記ファンの駆動制御を行い、前記異常判定手段が異常状態と判断した場合には前記報知手段が周囲に報知することを特徴とする換気装置。
【請求項２】
温度検出手段によって検出された温度があらかじめ設定された人の温度範囲内であると判断した場合には、入室と判断してファンによる運転を行うことを特徴とする請求項１記載の換気装置。
【請求項３】
一度記憶手段に記憶した人の絶対温度の検出がなくなった場合には、退室と判断して駆動手段によりファンによる運転を停止することを特徴する請求項１記載の換気装置。
【請求項４】
温度検出手段によって検出された温度があらかじめ設定された人の温度範囲ではないと判断した場合には、入室と判断せず駆動手段によりファンによる運転を行わないことを特徴とする請求項１記載の換気装置。
【請求項５】
人の絶対温度を一度記憶してから、あらかじめ設定された時間を経過しても、記憶した温度が検出されている場合には異常判定手段が異常状態と判断して、その結果から報知手段により周囲に報知することを特徴とする請求項１記載の換気装置。
【請求項６】
温度検出手段によって検出された温度があらかじめ設定された温度を上回った場合には異常判定手段が異常状態と判断して、その結果から報知手段により周囲に報知することを特徴とする請求項１記載の換気装置。
【請求項７】
異常温度状態からあらかじめ設定された温度以下に変化した場合には、異常判定手段が異常状態が解除されたと判断して、その結果から報知手段による周囲への報知を止めることを特徴とする請求項１記載の換気装置。
【請求項８】
退室と判断した場合には、退室してからあらかじめ設定された時間は駆動手段によりファンによる運転を継続することを特徴とする請求項１記載の換気装置。
【請求項９】
温度検出手段として、非接触で熱源の絶対温度を検出することの出来る赤外線センサであるサーモパイルを用いることを特徴とする請求項１記載の換気装置。
【請求項１０】
温度検出手段は、人が在室している場合には確実に人の温度を検出できるように配置されていることを特徴とする請求項１記載の換気装置。
【発明の詳細な説明】
【技術分野】
【０００１】
本発明は、人の温度を検出して自動運転するトイレ等の局所空間に設置される換気装置において、風等の影響で生じる僅かな温度変化による誤検出を防止し、より正確に人の動きに応じた自動運転及び異常検出が可能な換気装置に関する。
【背景技術】
【０００２】
従来の技術において、人の動きに応じて自動運転する方法として、室内に設置される空気調和機に人体検出器を用いて人の有無を確認し、あらかじめ設定した室内状況と異なる場合には異常と認識するように制御する方法がある（例えば、特許文献１参照）。
【特許文献１】特開２０００−３４６４２６号公報
【発明の開示】
【発明が解決しようとする課題】
【０００３】
このような従来の技術では、あらかじめ室内状況の設定をする必要があり、また、風による僅かな温度変化や、人の動きが無い場合等による誤検出に対して不十分であるという課題があり、周囲環境や、人の動きによる影響を受けることなく正確に異常状態の検出が可能な自動運転をする換気装置が要求されている。
【０００４】
本発明は、このような従来の課題を解決するものであり、風等による僅かな温度変化
人の生活スタイル等の影響によることなく、より正確に人の動きに応じた自動運転及び異常検出が可能な換気装置を提供することを目的とする。
【課題を解決するための手段】
【０００５】
上記課題を解決するために本発明の換気装置では、トイレ等の局所空間に設置され、室内の空気を排気するファンと、前記局所空間に入室した人の絶対温度を検出する温度検出手段と、前記温度検出手段により検出された温度の値を記憶する記憶手段と前記ファンを運転又は停止する駆動手段と温度又は時間のいずれかから異常状態と判断する異常判定手段と居室空間内の異常を検出した場合に周囲に報知する報知手段を有する制御手段とを備え、前記温度検出手段が人の絶対温度を検出すると、前記記憶手段によって絶対温度を記憶し、記憶された絶対温度から人の入退室を判定し、それに応じて前記ファンの駆動制御を行い、前記異常判定手段が異常状態と判断した場合には前記報知手段が周囲に報知することを特徴とする。
【０００６】
本発明の換気装置の他の手段は、温度検出手段によって検出された温度があらかじめ設定された人の温度範囲であると判断した場合には、入室と判断してファンによる運転を行うことを特徴とする。
【０００７】
本発明の換気装置の他の手段は、一度記憶手段に記憶した人の絶対温度の検出がなくなった場合には、退室と判断して駆動手段によりファンによる運転を停止することを特徴する。
【０００８】
本発明の換気装置の他の手段は、温度検出手段によって検出された温度があらかじめ設定された人の温度範囲ではないと判断した場合には、入室と判断せず駆動手段によりファンによる運転を行わないことを特徴とする。
【０００９】
本発明の換気装置の他の手段は、人の絶対温度を一度記憶してから、あらかじめ設定された時間を経過しても、記憶した温度が検出されている場合には異常判定手段が異常状態と判断して、その結果から報知手段により周囲に報知することを特徴とする。
【００１０】
本発明の換気装置の他の手段は、温度検出手段によって検出された温度があらかじめ設定された温度を上回った場合には異常判定手段が異常状態と判断して、その結果から報知手段により周囲に報知することを特徴とする。
【００１１】
本発明の換気装置の他の手段は、異常温度状態からあらかじめ設定された温度以下に変化した場合には、異常判定手段が異常状態が解除されたと判断して、その結果から報知手段による周囲への報知を止めることを特徴とする。
【００１２】
本発明の換気装置の他の手段は、退室と判断した場合には、退室してからあらかじめ設定された時間は駆動手段によりファンによる運転を継続することを特徴とする。
【００１３】
本発明の換気装置の他の手段は、温度検出手段として、非接触で熱源の絶対温度を検出することの出来る赤外線センサであるサーモパイルを用いることを特徴とする。
【００１４】
本発明の換気装置の他の手段は、温度検出手段は、人が在室している場合には確実に人の温度を検出できるように配置されていることを特徴とする。
【発明の効果】
【００１５】
本発明の換気装置によれば、風等による僅かな温度変化、人の生活スタイル等の影響によることなく、より正確に人の動きに応じた自動運転及び異常検出が可能な換気装置を提供することを目的とする。
【発明を実施するための最良の形態】
【００１６】
本発明の請求項１に記載の換気装置の発明は、トイレ等の局所空間に設置され、室内の空気を排気するファンと、前記局所空間に入室した人の絶対温度を検出する温度検出手段と、前記温度検出手段により検出された温度の値を記憶する記憶手段と前記ファンを運転又は停止する駆動手段と温度又は時間のいずれかから異常状態と判断する異常判定手段と居室空間内の異常を検出した場合に周囲に報知する報知手段を有する制御手段とを備え、前記温度検出手段が人の絶対温度を検出すると、前記記憶手段によって絶対温度を記憶し、記憶された絶対温度から人の入退室を判定し、それに応じて前記ファンの駆動制御を行い、前記異常判定手段が異常状態と判断した場合には前記報知手段が周囲に報知することを特徴とするものであり、風等による僅かな温度変化、人の生活スタイル等の影響によることなく、より正確に人の動きに応じた自動運転及び異常検出が可能となる。
【００１７】
また、請求項２に記載の換気装置の発明は、温度検出手段によって検出された温度があらかじめ設定された人の温度範囲であると判断した場合には、入室と判断してファンによる運転を行うことを特徴とするものであり、風等による僅かな温度変化の影響を受けずに正確に人の入室を検出することが可能となる。
【００１８】
また、請求項３に記載の換気装置の発明は、一度記憶手段に記憶した人の絶対温度の検出がなくなった場合には、退室と判断して駆動手段によりファンによる運転を停止することを特徴するものであり、風等による僅かな温度変化の影響を受けずに正確に人の退室を検出することが可能となる。
【００１９】
また、請求項４に記載の換気装置の発明は、温度検出手段によって検出された温度があらかじめ設定された人の温度範囲ではないと判断した場合には、入室と判断せず駆動手段によりファンによる運転を行わないことを特徴とするものであり、人の入退室以外の影響による誤検出を防止することが可能となる。
【００２０】
また、請求項５に記載の換気装置の発明は、人の絶対温度を一度記憶してから、あらかじめ設定された時間を経過しても、記憶した温度が検出されている場合には異常判定手段が異常状態と判断して、その結果から報知手段により周囲に報知することを特徴とするものであり、室内の異常状態を正確に周囲に知らせることが可能となる。
【００２１】
また、請求項６に記載の換気装置の発明は、温度検出手段によって検出された温度があらかじめ設定された温度を上回った場合には異常判定手段が異常状態と判断して、その結果から報知手段により周囲に報知することを特徴とするものであり、室内において異常な温度上昇等が生じた場合に迅速に周囲に知らせることが可能となる。
【００２２】
また、請求項７に記載の換気装置の発明は、異常温度状態からあらかじめ設定された温度以下に変化した場合には、異常判定手段が異常状態が解除されたと判断して、その結果から報知手段による周囲への報知を止めることを特徴とするものであり、室内が異常状態から正常状態に変わったことを周囲に知らせることが可能となる。
【００２３】
また、請求項８に記載の換気装置の発明は、退室と判断した場合には、退室してからあらかじめ設定された時間は駆動手段によりファンによる運転を継続することを特徴とするものであり、人が在室していたことによる室内環境を正常な状態に戻すことが可能となる。
【００２４】
また、請求項９に記載の換気装置の発明は、温度検出手段として、非接触で熱源の絶対温度を検出することの出来る赤外線センサであるサーモパイルを用いることを特徴とするものであり、通常の焦電型の赤外線センサのように相対的な温度変化で判断するのではなく、熱源である人の絶対温度を検出するためより風等による僅かな温度変化の影響を受けることなく正確な人の検出をすることが可能となる。
【００２５】
また、請求項１０に記載の換気装置の発明は、温度検出手段は、人が在室している場合には確実に人の温度を検出できるように配置されていることを特徴とするものであり、確実に人の温度であると判断することが可能となる。
【００２６】
以下、本発明の実施の形態について図面を参照しながら説明する。
【００２７】
（実施の形態）
本発明の実施の形態を図１〜図４を用いて説明する。図に示すように本発明の換気装置は、トイレ１等の居室空間において、室内の空気を排気ダクト２を介して室外に排気するファン３を備えた本体４を配置し、本体４の前面には温度検出手段５が備えられ、制御手段６に含まれる記憶手段７、異常判定手段８を内蔵したマイクロコンピュータ９（以下マイコン９）と電気的に接続されている。
【００２８】
また、制御手段６に含まれるファンを駆動する駆動手段１０、室内の温度または時間のいずれのから異常状態を判断した際に周囲に報知する報知手段１１が備えられ、マイコン９とは電気的に接続されている。
【００２９】
上記構成において、図３、図４のフローチャートを用いて、トイレ等の居室空間に設置された換気装置が、人の入退室を検出しファン３の運転及び停止を行い、室内の温度または時間のいずれかから異常状態を判断した際には周囲に報知する動作について述べる。
【００３０】
ここで、換気装置の設置箇所としては確実に人の検出が可能なトイレの上部に設置されることが望ましい。
【００３１】
ＳＴＥＰ１では、温度検出手段５で室内の温度を検出しており、ファン３の運転は停止状態である。
【００３２】
ＳＴＥＰ２からＳＴＥＰ４では、温度検出手段５によって検出された温度があらかじめ設定された人の温度範囲内である場合、入室状態であると判断し駆動手段１０によってファン３を運転させる。その際に検出した温度を記憶手段７によって記憶しておく。（検出温度Ｔ＝Ｔｍとする。）しかし、温度検出手段５が検出した温度があらかじめ設定された人の温度範囲内でない場合、入室していない状態であると判断しファン３の運転を行わない。ここで、温度検出手段５として非接触で個々の物体から放射される赤外線から絶対温度を検出することが可能なサーモパイルが望ましい。ここで、人の温度範囲とは、３０℃〜４５℃程度が望ましい。
【００３３】
ＳＴＥＰ５〜ＳＴＥＰ９では、温度検出手段５によって検出された温度があらかじめ設定された温度Ｔｍａｘを上回った場合には、異常判定手段８によって異常状態と判断し、報知手段１１によって周囲に報知する。その後、温度検出手段によって検出された温度がＴｍａｘを下回った場合には、異常状態ではないと判断し、報知手段１１による報知を停止する。ここで、Ｔｍａｘの温度としては、トイレ等の居室空間内で想定されない温度が望ましい。（例えば６０℃程度）。
【００３４】
ＳＴＥＰ１１及びＳＴＥＰ１４では、入室と判断してから、あらかじめ設定された時間Ｔ１を経過してからの検出温度Ｔｎが、Ｔｎ≒Ｔｍ（例えば、誤差±３℃程度とする。）の場合、入室している時間をカウントアップしていき、入室時間があらかじめ設定された時間ｔ2を経過した場合には、ＳＴＥＰ７以降の動作を実行する。ここでｔ1は人がトイレに入室してから便座に腰掛けるまでの時間として５秒から１５秒程度が望ましい。ｔ2は使用者によって設定可能とし、１０分〜１２０分程度まで自由に設定できるのが望ましい。
【００３５】
ＳＴＥＰ１５〜ＳＴＥＰ１８では、Ｔｎの温度がＴｍよりもあらかじめ設定された温度だけ下回った場合には、人が退室したと判断しあらかじめ設定された時間ｔ3だけファン３による運転を継続後、運転を停止する。ここで、あらかじめ設定された温度として人の有無を判断するために５度以上程度の温度が望ましい。Ｔ３は５分程度が望ましい。
【産業上の利用可能性】
【００３６】
本発明に関する換気装置は、風等による僅かな温度変化や人の動きによる影響を受けることなく、より正確に人の動きに応じた自動運転及び異常検出が可能なものであり、トイレ等の居室空間に用いられる換気装置に有用です。
【図面の簡単な説明】
【００３７】
【図１】本発明の換気装置の取り付け状態図
【図２】本発明の換気装置の構成を示すブロック図
【図３】本発明の換気装置が自動運転する動作を示すフローチャート
【図４】本発明の換気装置が自動運転する動作を示すフローチャート
【符号の説明】
【００３８】
２    排気ダクト
３    ファン
４    本体
５    温度検出手段
６    制御手段
７    記憶手段
８    異常判定手段
９    マイクロコンピュータ
１０  駆動手段
１１  報知手段
【図１】
2010091166.tif 000003
【図２】
2010091166.tif 000004
【図３】
2010091166.tif 000005
【図４】
2010091166.tif 000006